(57)【要約】【課題】記録媒体に記録された画像を正確に読み取ることができる画像形成装置を提供する。【解決手段】画像が記録された用紙を搬送する用紙搬送路と、用紙搬送路の第１の案内面側に設けられ、画像を読み取る読み取り手段と、第１の案内面と対向する第２の案内面側に設けられ、第１の案内面との間に間隙を有して回転可能に配置された回転体と、を備え、読み取り手段には光照射部が設けられ、第１の案内面には光照射部から照射される光が通過する導光部が設けられ、回転体は用紙搬送方向において導光部と重なるように設けられており、回転体は回転体の軸方向に沿って複数設けられている。【選択図】図６
2020115220.tif 000002
【特許請求の範囲】
【請求項１】
画像が記録された用紙を搬送する用紙搬送路と、
前記用紙搬送路の第１の案内面側に設けられ、前記画像を読み取る読み取り手段と、
前記第１の案内面と対向する第２の案内面側に設けられ、前記第１の案内面との間に間隙を有して回転可能に配置された回転体と、を備え、
前記読み取り手段には光照射部が設けられ、前記第１の案内面には前記光照射部から照射される光が通過する導光部が設けられ、前記回転体は用紙搬送方向において前記導光部と重なるように設けられており、前記回転体は前記回転体の軸方向に沿って複数設けられている、
ことを特徴とする画像形成装置。
【請求項２】
前記複数設けられた回転体のうち、前記軸方向の中央部にある回転体は、前記軸方向において前記導光部と重なるように設けられている、
ことを特徴とする請求項１に記載の画像形成装置。
【請求項３】
前記複数設けられた回転体のうち、前記軸方向の両端部にある回転体は、前記軸方向の中央部にある回転体を挟むように設けられている、
ことを特徴とする請求項２に記載の画像形成装置。
【発明の詳細な説明】
【技術分野】
【０００１】
本発明は、画像形成装置に関する。
【背景技術】
【０００２】
用紙を予め定められた搬送経路に沿って搬送する搬送手段と、搬送手段により搬送される用紙に画像を形成する画像形成手段と、搬送経路の一方の側方側に設けられ、画像形成手段により画像が形成され搬送手段により搬送された用紙の画像を読み取る読み取り機構と、搬送経路を挟み読み取り機構の対向位置に配置されるとともに読み取り機構との間に間隙を有して配置され、回転可能に設けられ、回転に応じて間隙の大きさが変化する形状で形成された回転部材と、読み取り機構による画像の読み取りが行われずに間隙を用紙が通過する場合に回転部材を回転させ、間隙を、回転部材の形状によって、読み取り機構による画像の読み取りが行われる際の間隙よりも大きい間隙に変更する変更機構と、を備える画像形成装置が知られている（特許文献１）。
【先行技術文献】
【特許文献】
【０００３】
【特許文献１】特開２０１２−２７１３３号公報
【発明の概要】
【発明が解決しようとする課題】
【０００４】
本発明は、記録媒体に記録された画像を正確に読み取ることができる画像形成装置を提供することを目的とする。
【課題を解決するための手段】
【０００５】
前記課題を解決するために、請求項１に記載の画像形成装置は、
画像が記録された用紙を搬送する用紙搬送路と、
前記用紙搬送路の第１の案内面側に設けられ、前記画像を読み取る読み取り手段と、
前記第１の案内面と対向する第２の案内面側に設けられ、前記第１の案内面との間に間隙を有して回転可能に配置された回転体と、を備え、
前記読み取り手段には光照射部が設けられ、前記第１の案内面には前記光照射部から照射される光が通過する導光部が設けられ、前記回転体は用紙搬送方向において前記導光部と重なるように設けられており、前記回転体は前記回転体の軸方向に沿って複数設けられている、
ことを特徴とする。
【０００６】
請求項２記載の発明は、請求項１に記載の画像形成装置において、
前記複数設けられた回転体のうち、前記軸方向の中央部にある回転体は、前記軸方向において前記導光部と重なるように設けられている、
ことを特徴とする。
【０００７】
請求項３記載の発明は、請求項２に記載の画像形成装置において、
前記複数設けられた回転体のうち、前記軸方向の両端部にある回転体は、前記軸方向の中央部にある回転体を挟むように設けられている、
ことを特徴とする。
【発明の効果】
【０００８】
請求項１に記載の発明によれば、第１の案内面との間に間隙を有して回転可能に配置された回転体を有しない構成に比して、記録媒体に記録された画像を正確に読み取ることができる。
請求項２に記載の発明によれば、画像の読み取り領域における用紙の通過間隙をより安定して形成することができる。
請求項３に記載の発明によれば、画像の読み取り領域における用紙のたわみを抑制することができる。
【図面の簡単な説明】
【０００９】
【図１】画像形成装置の内部構成を示す断面模式図である。
【図２】排紙装置の全体内部構成を示す断面模式図である。
【図３】排紙装置の要部を示す断面模式図である。
【図４】（ａ）は撮像部の撮像側を示す底面図、（ｂ）は断面模式図である。
【図５】撮像部を含む上側案内板の平面模式図である。
【図６】対向ローラを含む下側案内板の平面模式図である。
【図７】第２実施形態に係る排紙装置の全体内部構成を示す断面模式図である。
【図８】冷却部、用紙搬送部、用紙湾曲部、画像読み取り部を示す断面模式図である。
【図９】（ａ）は階調補正用の複数のパッチパターンの一例、（ｂ）はテスト画像のラダーパターンの一例を示す平面図である。
【発明を実施するための形態】
【００１０】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００１１】
「第１実施形態」
（１）画像形成装置の全体構成及び動作
（１．１）画像形成装置の全体構成
図１は本実施形態に係る画像形成装置１の概略構成の一例を示す断面模式図である。
画像形成装置１は、画像形成部１０と、画像形成部１０の一端に装着された用紙送り装置２０と、画像形成部１０の他の一端に設けられ、印刷された用紙が排紙される排紙装置３０と、操作情報部４０と、上位機器から送信された印刷情報から画像情報を生成する画像処理部５０と、を備えて構成されている。
【００１２】
画像形成部１０は、システム制御装置１１（不図示）、露光装置１２、感光体ユニット１３、現像装置１４、転写装置１５、用紙搬送装置１６ａ、１６ｂ、１６ｃ、定着装置１７、画像読み取り装置１８、を備えて構成され、画像処理部５０から受け取った画像情報を用紙送り装置２０から送り込まれた用紙Ｐ上にトナー画像として形成する。
【００１３】
用紙送り装置２０は、種類（例えば、材質や厚さ、用紙サイズ、紙目）の異なる用紙Ｐを収容する複数の用紙積載部（トレイ１、トレイ２）を備えており、これら複数の用紙積載部のいずれか一つから繰り出した用紙Ｐを画像形成部１０に対して供給するように構成されている。
【００１４】
排紙装置３０は、画像形成部１０にて画像出力が行われた用紙Ｐの排出を行う。また、定着装置１７よりもさらに用紙の搬送方向下流側には画像読み取り部３３０が設けられている。この画像読み取り部３３０は、定着装置１７から排出されて搬送されてくる用紙のトナー画像が形成された側の面に記録された画像情報を読み取る機能を有している。
【００１５】
操作情報部４０は、各種の設定や指示の入力及び情報表示に用いられるものである。すなわち、いわゆるユーザインタフェースに相当するもので、具体的には液晶表示パネル、各種操作ボタン、タッチパネル等を組み合わせて構成されている。
【００１６】
（１．２）画像形成部の構成及び動作
このような構成の画像形成装置１では、画像形成のタイミングに合わせて用紙送り装置２０のうち、印刷ジョブで印刷の１枚毎に指定された用紙積載部から繰り出された用紙Ｐが画像形成部１０へ送り込まれる。
【００１７】
感光体ユニット１３は、露光装置１２の下方に、それぞれが並列して設けられ、回転駆動する感光体ドラム１３１を備えている。感光体ドラム１３１の回転方向にそって、帯電器１３２、露光装置１２、現像装置１４、一次転写ローラ１５２、クリーニングブレード１３４が配置されている。
【００１８】
現像装置１４は、内部に現像剤が収容される現像ハウジング１４１を有する。現像ハウジング１４１内には、感光体ドラム１３１に対向して配置された現像ローラ１４２が配設され、現像ローラ１４２には、現像剤の層厚を規制する層規制部材（不図示）が近接配置されている。
それぞれの現像装置１４は、現像ハウジング１４１に収容される現像剤を除いて略同様に構成され、それぞれがイエロー（Ｙ）、マゼンタ（Ｍ）、シアン（Ｃ）、黒（Ｋ）のトナー像を形成する。
【００１９】
回転する感光体ドラム１３１の表面は、帯電器１３２により帯電され、露光装置１２から出射する潜像形成光により静電潜像が形成される。感光体ドラム１３１上に形成された静電潜像は現像ローラ１４２によりトナー像として現像される。
【００２０】
転写装置１５は、各感光体ユニット１３の感光体ドラム１３１にて形成された各色トナー像が多重転写される第１無端ベルトとしての中間転写ベルト１５１、各感光体ユニット１３にて形成された各色トナー像を中間転写ベルト１５１に順次転写（一次転写）する一次転写ローラ１５２、中間転写ベルト１５１上に重畳して転写された各色トナー像を記録媒体である用紙に一括転写（二次転写）する第２無端ベルトとしての二次転写ベルト１５３とから構成されている。
二次転写ベルト１５３は、二次転写ローラ１５４と剥離ローラ１５５とによって張架され、中間転写ベルト１５１の背面側に配置されたバックアップローラ１６５と二次転写ローラ１５４とに挟持されて二次転写部（ＴＲ）を形成する。
【００２１】
各感光体ユニット１３の感光体ドラム１３１に形成された各色トナー像は、システム制御装置１１により制御される電源装置等（不図示）から所定の転写電圧が印加された一次転写ローラ１５２により中間転写ベルト１５１上に順次静電転写（一次転写）され、各色トナーが重畳された重畳トナー像が形成される。
【００２２】
中間転写ベルト１５１上の重畳トナー像は、中間転写ベルト１５１の移動に伴って二次転写ベルト１５３が配置された二次転写部ＴＲに搬送される。重畳トナー像が二次転写部ＴＲに搬送されると、そのタイミングに合わせて用紙送り装置２０から用紙Ｐが二次転写部ＴＲに供給される。そして、二次転写ベルト１５３を介して二次転写ローラ１５４と対向するバックアップローラ１６５には、システム制御装置１１により制御される電源装置等から所定の転写電圧が印加され、用紙Ｐに中間転写ベルト１５１上の多重トナー像が一括転写される。
【００２３】
感光体ドラム１３１表面の残留トナーは、クリーニングブレード１３４により除去され、廃トナー収容部（不図示）に回収される。感光体ドラム１３１の表面は、帯電器１３２により再帯電される。
【００２４】
定着装置１７は一方向へ回転する無端状の定着ベルト１７ａと、定着ベルト１７ａの周面に接し、一方向へ回転する加圧ローラ１７ｂとを有し、定着ベルト１７ａと加圧ローラ１７ｂの圧接領域によってニップ部（定着領域）が形成される。
転写装置１５においてトナー像が転写された用紙Ｐは、トナー像が未定着の状態で用紙搬送装置１６ａを経由して定着装置１７に搬送される。定着装置１７に搬送された用紙Ｐは、一対の定着ベルト１７ａと加圧ローラ１７ｂにより、圧着と加熱の作用でトナー像が定着される。
【００２５】
定着の終了した用紙Ｐは、排紙装置３０に送り込まれる。尚、用紙Ｐの両面に画像出力を行う場合には、用紙搬送装置１６ｂにより用紙Ｐの表裏が反転され、再び画像形成部１０における二次転写部ＴＲへ送り込まれる。そして、トナー像の転写および転写像の定着が行われた後に、排紙装置３０に送り込まれることになる。排紙装置３０へ送り込まれた用紙Ｐは、冷却部３２０で冷却された後、必要に応じて画像読み取り部３３０で画像が読み取られた後に、排紙収容部（不図示）へ排出される。
【００２６】
（２）排紙装置の構成と動作
図２は排紙装置３０の全体内部構成を示す断面模式図、図３は排紙装置３０の要部を示す断面模式図、図４（ａ）は撮像部３３１の撮像側を示す底面図、（ｂ）は断面模式図、図５は撮像部３３１を含む上側案内板３３３の平面模式図、図６は対向ローラ３３５を含む下側案内板３３４の平面模式図、図９（ａ）は階調補正用の複数のパッチパターンＰＰの一例、（ｂ）はテスト画像のラダーパターンの一例を示す平面図である。
以下、図面を参照しながら排紙装置３０の構成と動作について説明する。
【００２７】
（２．１）排紙装置の構成
図２に示すように、排紙装置３０は、受入ローラ対３１０、冷却手段としての冷却部３２０、画像読み取り部３３０、湾曲手段としての用紙湾曲部３４０、用紙搬送部３５０、排出ローラ対３６０から構成されている。
【００２８】
定着装置１７でトナー像が定着され加熱された用紙Ｐは、受入ローラ対３１０で排紙装置３０へ取り込まれ、カールが発生した面に沿って冷却部３２０を通過して放熱される。そして、画像読み取り部３３０は、冷却部３２０で冷却された用紙Ｐ上に形成された画像を光学的に読み取って、画像データを生成する。その後、用紙Ｐは用紙湾曲部３４０でカールを矯正されて排出ローラ対３６０を介して排紙収容部（不図示）へ排出される。
【００２９】
図３に示すように、冷却部３２０は、用紙Ｐの一面側に接触する放熱体の一例としての冷却ドラム３２１と、用紙Ｐを冷却ドラム３２１との間に挟み込むように張架された搬送ベルト３２２と、冷却ドラム３２１及び搬送ベルト３２２に空気流を吹き付ける送風装置としての送風ファン３２５（図２に図示）からなる。
【００３０】
冷却ドラム３２１は、全体が熱伝導率の高いアルミニウム等の金属材料により形成された円筒体で、本実施形態においては直径２００ｍｍのアルミパイプである。冷却ドラム３２１は、両端に突出する支持軸３２１ａを排紙装置３０の筐体（不図示）に軸受（不図示）を介して回転自在に支持されている。
【００３１】
搬送ベルト３２２は、例えば、ポリイミド等の合成樹脂材料で製作される無端状のベルトで、所要の張力で張架された状態で駆動ローラ３２３、複数の支持ロール３２４、３２４によって循環移動するように支持されている。駆動ローラ３２３は、合成樹脂や金属等の剛性を有する材料からなる円筒状又は円柱状の基材３２３ａの周面に、搬送ベルト３２２の内周面との間の摩擦力を高めるウレタン樹脂等からなる被覆層（表面層）３２３ｂを被覆して構成されている。
【００３２】
送風ファン３２５は、冷却部３２０の動作時に回転駆動され、冷却ドラム３２１及び搬送ベルト３２２の表面に空気流を接触させて冷却ドラム３２１及び搬送ベルト３２２を冷却する。その結果、搬送される用紙Ｐに空気流が直接吹き付けられることがなく、用紙Ｐのバタツキを抑制しながら、冷却ドラム３２１の放熱作用により用紙Ｐからの吸熱を効率的に行うことが可能になる。
【００３３】
用紙搬送部３５０は、冷却部３２０を通過した用紙Ｐを画像読み取り部３３０へ案内する搬送路３５１と、用紙Ｐを画像読み取り部３３０へ搬送する一対の搬送ローラ３５２により構成されている。
【００３４】
画像読み取り部３３０は、搬送される用紙Ｐの画像形成面と対向する側に配置されて用紙Ｐの画像を読み取る画像読み取り手段としての撮像部３３１と、テスト画像を検知する検知手段としての光センサ３３２と、用紙Ｐの搬送を案内する第１の案内面を形成する上側案内板３３３と、上側案内板３３３に対向配置された第２の案内面としての下側案内板３３４から構成されている。
【００３５】
図４に示すように、撮像部３３１は、用紙Ｐに定着された画像、階調補正用及び面内の色ムラ補正用の複数のパッチパターンＰＰ（ＰＰ１、ＰＰ２、ＰＰ３、ＰＰ４、ＰＰ５、ＰＰ６、ＰＰ７、ＰＰ８、ＰＰ９、ＰＰ１０：図９（ａ）参照）を光学的に検出するインラインセンサ（Ｉｎ  Ｌｉｎｅ  Ｓｅｎｓｏｒ：ＩＬＳ）であり、搬送される用紙Ｐの画像形成面と対向するように上側案内板３３３の内側に保持部材３３６で支持されている。
【００３６】
撮像部３３１は、照射部３３１Ａと、ＣＣＤ（Ｃｈａｒｇｅ  Ｃｏｕｐｌｅｄ  Ｄｅｖｉｃｅ）センサ３３１Ｂとを備えている。照射部３３１Ａは、例えばリニア型のタングステンランプ（不図示）により構成されており、用紙Ｐの画像形成面に対向する位置に配置されている。ＣＣＤセンサ３３１Ｂは、照射部３３１Ａから照射されて用紙Ｐで反射された光を受光する。
【００３７】
このように構成される撮像部３３１は、搬送される用紙Ｐに形成された画像を撮像して、例えば波長が４００〜７００ｎｍの範囲において分光スペクトルを生成して、用紙Ｐ上の被測色部を測色する。撮像部３３１で検出された光信号は電気信号に変換されてシステム制御装置１１に伝送され、階調補正及び色ムラ補正のデータとして使用される  
【００３８】
光センサ３３２は、光を出射する発光部３３２ａと、発光部３３２ａから出射された光を受光可能な受光部３３２ｂとを有し、テスト画像として形成されたラダーパターン（図９（ｂ）参照）を光学的に読み取る。読み取った信号は、システム制御装置１１に伝送されて、例えば用紙Ｐの搬送速度制御用のデータとして使用される。
【００３９】
図５に示すように、上側案内板３３３は、金属製の板状部材で、用紙Ｐを撮像部３３１へ向って案内する第１案内部３３３Ａと、撮像部３３１の下方で搬送される用紙Ｐを撮像部３３１の導光部３３１ａに沿わせるように案内する第２案内部３３３Ｂと、撮像部３３１で画像が読み取られた用紙Ｐを用紙湾曲部３４０へ導く第３案内部３３３Ｃからなる。
第２案内部３３３Ｂには、撮像部３３１から照射される光を通過させるとともに画像面で光軸方向に反射した光を導く開口部３３３Ｂａと、光センサ３３２の発光部３３２ａから出射された光を通過させる開口部３３３Ｂｂと、受光部３３２ｂで受光される反射光を導く開口部３３３Ｂｃが設けられている。
【００４０】
下側案内板３３４には、図６に示すように、撮像部３３１の導光部３３１ａと対向して回転体としての対向ローラ３３５が下側案内板３３４からその表面が突出して回転可能に配置されている。対向ローラ３３５は、撮像部３３１の導光部３３１ａに対向する位置と光センサ３３２に対向する位置及び用紙Ｐの搬送方向と交差（直交）する方向で撮像部３３１の領域外にも配置されている。
その結果、上側案内板３３３と下側案内板３３４で形成される用紙Ｐの案内間隙に比して、撮像領域での用紙Ｐの通過間隙は、上側案内板３３３と、下側案内板３３４から用紙Ｐ側に突出して用紙Ｐの撮像側の裏面に接触して回転する対向ローラ３３５の表面でより安定して形成される構成となっている。
そのために、撮像部３３１での画像の読み取りをより安定して行うことができる。
【００４１】
対向ローラ３３５は、ＰＯＭ（ポリアセタール）等の合成樹脂製で、円筒状の本体部３３５ａと、本体部３３５ａの両端に突出して形成された軸部３３５ｂが一体形成され、軸部３３５ｂが下側案内板３３４に交換可能に取り付けられている。
対向ローラ３３５は、テスト画像の予め定められたトリガー画像に応じて、その表面色が選択される。具体的には、テスト画像として形成されたラダーパターンの背景部（白色）をトリガー画像とする場合には、黒色の表面色とされ、ラダーパターンの画像部（黒色）をトリガー画像とする場合には、白色の表面色とされる。その結果、テスト画像を正確に検知することができる。
【００４２】
用紙湾曲部３４０は、所要の張力で張架された状態で駆動ローラ３４２、複数の支持ローラ３４３、３４４によって循環移動するように支持された搬送ベルト３４１と、搬送ベルト３４１の内面側から搬送ベルト３４１を押圧する一対の矯正ローラ３４５からなる一対の上側デカール部材３４０Ａと下側デカール部材３４０Ｂが搬送される用紙Ｐを挟むように対向配置されて構成されている。
本実施形態においては、下側デカール部材３４０Ｂの矯正ローラ３４５が下側デカール部材３４０Ｂの搬送ベルト３４１を挟んで当接している上側デカール部材３４０Ａの搬送ベルト３４１の一面を上向きに湾曲させて、搬送される用紙Ｐの冷却部３２０で固定されたアッパーカールを矯正している。
【００４３】
下側デカール部材３４０Ｂの搬送ベルト３４１には、送風ファン３４６（図２に図示）から空気の流れを接触させて下側デカール部材３４０Ｂの搬送ベルト３４１を介して用紙Ｐの熱を放熱させて、用紙Ｐに付与される矯正姿勢を固定している。アッパーカールが矯正された用紙Ｐは排出ローラ対３６０から排紙収容部（不図示）へ排出される。
【００４４】
（２．２）排紙装置の動作
このように構成される排紙装置３０において、定着装置１７でトナー像が定着された用紙Ｐは、画像読み取り部３３０で読み取られる画像が記録された側に湾曲（カール）した状態で、冷却部３２０に搬送される。
冷却部３２０においては、用紙Ｐは冷却ドラム３２１と搬送ベルト３２２で挟みこまれて冷却ドラム３２１の表面に沿って搬送されながら、冷却ドラム３２１に熱を吸収されて冷却される。
【００４５】
冷却部３２０で冷却された用紙Ｐは、用紙搬送部３５０を介して画像読み取り部３３０へ案内され、撮像部３３１と光センサ３３２が配置されている上側案内板３３３の第２案内部３３３Ｂと、下側案内板３３４から第２案内部３３３Ｂ側に突出して配置された対向ローラ３３５とで形成される通過間隙を通過しながらその表面に記録された画像が読み取られる。
【００４６】
画像読み取り部３３０においては、冷却部３２０で冷却されて温度が低下した用紙Ｐは、バタツキが抑制された状態で、上側案内板３３３と対向ローラ３３５で形成される通過間隙を搬送され、用紙Ｐに記録された画像がより正確に読み取られる。
【００４７】
画像読み取り部３３０で画像が読み取られた用紙Ｐは、第３案内部３３３Ｃから用紙湾曲部３４０へ導かれる。
用紙湾曲部３４０においては、下側デカール部材３４０Ｂの支持ローラ３４３が下側デカール部材３４０Ｂの搬送ベルト３４１を挟んで当接している上側デカール部材３４０Ａの搬送ベルト３４１の一面を上向きに湾曲させて、搬送される用紙Ｐの冷却部３２０で固定されたアッパーカールを矯正しながら、排出ローラ対３６０を介して排紙収容部（不図示）へ排出される。
排紙収容部においては、用紙湾曲部３４０において、カールが補正されているために、用紙Ｐの積載が良好に行われる。
【００４８】
「第２実施形態」
図７は本実施形態に係る排紙装置３０Ａの全体内部構成を示す断面模式図、図８は冷却部３２０、用紙搬送部３５０、用紙湾曲部３４０、画像読み取り部３３０を示す断面模式図である。
以下図面を参照しながら、排紙装置３０Ａの構成及び動作について説明するが、画像読み取り部３３０が用紙湾曲部３４０の用紙搬送方向における下流側に配置されている点で、第１実施形態に係る排紙装置３０と異なっている。そのために、第１実施形態に係る排紙装置３０と共通の構成要素には同一の符号を付し、その詳細な説明は省略する。
【００４９】
図７に示すように、排紙装置３０Ａは、受入ローラ対３１０、冷却手段としての冷却部３２０、湾曲手段としての用紙湾曲部３４０、画像読み取り手段としての画像読み取り部３３０、用紙搬送部３５０、排出ローラ対３６０から構成されている。
【００５０】
図８に示すように、受入ローラ対３１０で排紙装置３０へ取り込まれた用紙Ｐは、カールが発生した面に沿って冷却部３２０を通過して放熱され、用紙搬送部３５０を介して用紙湾曲部３４０へ搬送され、カールを矯正される。
そして、画像読み取り部３３０は、冷却部３２０で冷却され、用紙湾曲部３４０でカールが矯正された用紙Ｐ上に形成された画像を光学的に読み取って、画像データを生成する。その後、用紙Ｐは排出ローラ対３６０を介して排紙収容部（不図示）へ排出される。
【００５１】
排紙装置３０Ａによれば、定着装置１７でトナー像が定着され加熱された用紙Ｐは、カールが発生した面に沿って冷却部３２０を通過して放熱され冷却された状態で、用紙湾曲部３４０でアッパーカールを矯正している。
そのために、画像読み取り部３３０においては、用紙Ｐに残存する熱量がより減少した状態で画像の読み取りが行われ、温度による画像読み取りの誤差を低減することができる。また、用紙Ｐのカールが矯正された状態で画像の読み取りが行われ、用紙Ｐのバタツキによる画像読み取りの誤差を低減することができる。
【符号の説明】
【００５２】
１・・・画像形成装置
１０・・・画像形成部
２０・・・用紙送り装置
３０、３０Ａ・・・排紙装置
３１０・・・受入ローラ対
３２０・・・冷却部
３２１・・・冷却ドラム
３２２・・・搬送ベルト
３２３・・・送風ファン
３３０・・・画像読み取り部
３３１・・・撮像部
３３２・・・光センサ
３３３・・・上側案内板
３３４・・・下側案内板
３３５・・・対向ローラ
３４０・・・用紙湾曲部
３４１・・・搬送ベルト
３４２・・・駆動ローラ
３４３、３４４・・・支持ローラ
３４５・・・矯正ローラ
３５０・・・用紙搬送部
３６０・・・排出ローラ対
４０・・・操作情報部
５０・・・画像処理部
【図１】
2020115220.tif 000003
【図２】
2020115220.tif 000004
【図３】
2020115220.tif 000005
【図４】
2020115220.tif 000006
【図５】
2020115220.tif 000007
【図６】
2020115220.tif 000008
【図７】
2020115220.tif 000009
【図８】
2020115220.tif 000010
【図９】
2020115220.tif 000011